(57)【特許請求の範囲】
【請求項１】
側面に凹部が形成されたカードが挿抜されるケースと、前記ケースに挿入された前記カードが装着される装着部と、前記ケースに対して前記カードのスライド方向へスライド移動可能に設けられ、前記カードの接触部と接触するコンタクト端子を保護する端子保護部と、前記端子保護部を前記カードの排出方向側に付勢する付勢手段と、前記付勢手段による付勢力に抗して前記端子保護部を所定の位置に保持する保持手段とを備え、
前記端子保護部は、当該端子保護部の側面に形成された第１係合部と、前記第１係合部よりも前記カードの排出方向側に形成された第２係合部とを有し、
前記保持手段は、前記装着部に装着される前記カードの側面と対向する位置に配置される弾性部材からなり、前記カードの排出方向側が前記ケース側に固定される固定端であり、前記カードの挿入方向側の端部が前記カードの側面側に付勢される自由端であり、前記自由端に前記第１係合部又は前記第２係合部と係合する係合部が形成され、前記自由端と前記固定端との間にカード未挿入状態で前記カードの側面よりもカード中央側へ突出する当接部が形成され、
前記カードの凹部と前記当接部とが対向した際に、前記保持手段の前記係合部が前記端子保護部の前記第２係合部と対向する位置関係となるように、前記カードの挿入方向の端部から前記凹部まで距離と、前記保持手段の前記係合部から前記当接部までの距離とが同一寸法に設定され、
前記カードが挿入される前の状態では、前記係合部が前記端子保護部の第１係合部と係合し、
前記カードが所定の装着位置まで挿入される際、前記カードの側面に前記当接部が当接することにより、前記保持手段の前記自由端が前記カードの側面から離れる方向に開いて、前記端子保護部の第１係合部と前記係合部との係合が解除され、前記付勢手段の付勢力に抗して前記端子保護部が前記カードの挿入方向側に移動されると、前記カードの凹部に前記当接部が入り込んで係合し、前記保持手段の前記自由端が弾性力によって閉じることで、前記係合部が前記端子保護部の第２係合部と係合することを特徴とするカード用アダプタ。
【請求項２】
前記凹部は、前記カードの側面に左右一対形成され、前記保持手段は、前記カードの側面に対向して左右一対配置されていることを特徴とする請求項１記載のカード用アダプタ。
【請求項３】
前記カードを所定の装着位置まで挿入する際、一旦前記所定の装着位置よりも前記カードの挿入方向側の位置まで当該カードを移動させた後、前記付勢手段の付勢力に応じて前記端子保護部材を前記カードの排出方向側に移動させ、前記カードの凹部に前記当接部を係合させると共に、前記係合部を前記端子保護部の第２係合部と係合させたことを特徴とする請求項１又は請求項２記載のカード用アダプタ。
【発明の詳細な説明】
【技術分野】
【０００１】
本発明は、カード用アダプタに関し、例えば、標準サイズのカードよりも小型化されたカードを標準サイズのカードに対する互換性を持たせるためのカード用アダプタに関する。
【背景技術】
【０００２】
従来、カードと接続されるコンタクト端子を外力による変形から保護するための保護部材を備えたカード用アダプタが知られている（例えば、特許文献１参照）。このようなカード用アダプタにおいては、保護部材をフレームに対してスライド移動可能に取り付け、カードの装着動作に伴って保護部材をスライド移動させる一方、その内部のコンタクト端子を露出させて当該カードとの接続を許容するものとなっている。
【特許文献１】特許第３２８５３２１号明細書
【発明の開示】
【発明が解決しようとする課題】
【０００３】
しかしながら、上述したような従来のカード用アダプタにおいては、内部に収納されているコンタクト端子が露出しないように、ばね等により保護部材をカードの排出方向に付勢していることから、装着されたカードに対してコンタクト端子から離間する方向に付勢力が加わることとなる。この結果、カードとコンタクト端子との接続状態に影響を与える恐れがある。
【０００４】
本発明はこのような実情に鑑みてなされたものであり、カードとこれに接続されるコンタクト端子との安定した接続状態を確保することができるカード用アダプタを提供することを目的とする。
【課題を解決するための手段】
【０００５】
本発明のカード用アダプタは、側面に凹部が形成されたカードが挿抜されるケースと、前記ケースに挿入された前記カードが装着される装着部と、前記ケースに対して前記カードのスライド方向へスライド移動可能に設けられ、前記カードの接触部と接触するコンタクト端子を保護する端子保護部と、前記端子保護部を前記カードの排出方向側に付勢する付勢手段と、前記付勢手段による付勢力に抗して前記端子保護部を所定の位置に保持する保持手段とを備え、前記端子保護部は、当該端子保護部の側面に形成された第１係合部と、前記第１係合部よりも前記カードの排出方向側に形成された第２係合部とを有し、前記保持手段は、前記装着部に装着される前記カードの側面と対向する位置に配置される弾性部材からなり、前記カードの排出方向側が前記ケース側に固定される固定端であり、前記カードの挿入方向側の端部が前記カードの側面側に付勢される自由端であり、前記自由端に前記第１係合部又は前記第２係合部と係合する係合部が形成され、前記自由端と前記固定端との間にカード未挿入状態で前記カードの側面よりもカード中央側へ突出する当接部が形成され、前記カードの凹部と前記当接部とが対向した際に、前記保持手段の前記係合部が前記端子保護部の前記第２係合部と対向する位置関係となるように、前記カードの挿入方向の端部から前記凹部まで距離と、前記保持手段の前記係合部から前記当接部までの距離とが同一寸法に設定され、前記カードが挿入される前の状態では、前記係合部が前記端子保護部の第１係合部と係合し、前記カードが所定の装着位置まで挿入される際、前記カードの側面に前記当接部が当接することにより、前記保持手段の前記自由端が前記カードの側面から離れる方向に開いて、前記端子保護部の第１係合部と前記係合部との係合が解除され、前記付勢手段の付勢力に抗して前記端子保護部が前記カードの挿入方向側に移動されると、前記カードの凹部に前記当接部が入り込んで係合し、前記保持手段の前記自由端が弾性力によって閉じることで、前記係合部が前記端子保護部の第２係合部と係合することを特徴とする。
【０００６】
上記カード用アダプタによれば、カードを所定の装着位置まで挿入する際、カードと当接部との当接により端子保護部の第１係合部と係合部との係合を解除し、付勢手段の付勢力に抗して端子保護部をカードの挿入方向側に移動させ、カードの凹部に前記当接部を係合させると共に、係合部を端子保護部の第２係合部と係合させることから、付勢手段の付勢力がカードに加わるのを防止できるので、カードとこれに接続されるコンタクト端子との安定した接続状態を確保することが可能となる。
【０００７】
特に、上記カード用アダプタにおいては、前記凹部は、前記カードの側面に左右一対形成され、前記保持手段は、前記カードの側面に対向して左右一対配置されていることが好ましい。この場合には、左右一対に設けられた保持手段の係合部で端子保護部を所定の装着位置に保持できるので、付勢手段からの付勢力をバランスよく受け、この付勢力がカードに加わるのを適切に防止することが可能となる。
【０００８】
上記カード用アダプタにおいて、前記カードを所定の装着位置まで挿入する際、一旦前記所定の装着位置よりも前記カードの挿入方向側の位置まで当該カードを移動させた後、前記付勢手段の付勢力に応じて前記端子保護部材を前記カードの排出方向側に移動させ、前記カードの凹部に前記当接部を係合させると共に、前記係合部を前記端子保護部の第２係合部と係合させることが好ましい。このような一連の動作を経てカードを所定の装着位置に保持することにより、カードの接触部に埃等が付着している場合においても、コンタクト端子でその埃等を除去した上で接触部に接触させることができるので、よりカードとコンタクト端子との間の接続安定性を向上することが可能となる。
【発明の効果】
【００１４】
本発明によれば、カードを所定の装着位置まで挿入する際、カードと当接部との当接により端子保護部の第１係合部と係合部の係合を解除し、付勢手段の付勢力に抗して端子保護部をカードの挿入方向側に移動させ、カードの凹部に前記当接部を係合させると共に、係合部を端子保護部の第２係合部と係合させることから、付勢手段の付勢力がカードに加わるのを防止できるので、カードとこれに接続されるコンタクト端子との安定した接続状態を確保することが可能となる。
【発明を実施するための最良の形態】
【００１５】
以下、本発明の一実施の形態について添付図面を参照して詳細に説明する。本実施の形態に係るカード用アダプタは、所定のカードが装着された状態でパーソナルコンピュータ（ＰＣ）等のカードスロットに装着され、当該ＰＣとカードとの間で信号の送受信を可能とするものである。なお、本実施の形態に係るカード用アダプタに装着されるカードの種別については特に限定されるものではない。
【００１６】
図１及び図２は、本発明の一実施の形態に係るカード用アダプタ（以下、単に「アダプタ」という）１の外観を示す斜視図である。図１においては、アダプタ１をその上面側から示し、図２においては、アダプタ１をその下面側から示している。以下においては、図１及び図２に示す上方側を「アダプタ１の前方側」又は単に「前方側」と呼び、同図に示す下方側を「アダプタ１の後方側」又は単に「後方側」と呼ぶものとする。なお、図１及び図２においては、アダプタ１に後述するカード２が装着されていない状態について示している。
【００１７】
図１及び図２に示すように、アダプタ１は、概して平板形状を有するケース１１を有している。このケース１１は、絶縁性の樹脂材料で成型されるフレーム１１ａと、このフレーム１１ａに取り付けられる金属製の上面カバー１１ｂ及び下面カバー１１ｃとから構成される。ケース１１の後方側部分には、後述するカード２が装着されるスロット部１２が設けられている。このスロット部１２は、装着部としての役割を果たすものであり、カード２の外形と略同一の形状に設けられ、カード２が装着された状態でその後方側端部がアダプタ１の後方側端部と同一位置に配置可能に構成されている（図１３参照）。
【００１８】
このスロット部１２の前方側には、後述するカード２の接触パッド２７と接続されるコンタクト端子を保護する端子保護部としての保護部材１３が設けられている。保護部材１３は、例えば、絶縁性の樹脂材料で成型され、下方側に開口した凹部１３ａを有している。また、保護部材１３は、フレーム１１ａに対してスライド移動可能に設けられ、スロット部１２に対するカード２の挿入に伴ってアダプタ１の前方側に移動する。本実施の形態に係るアダプタ１においては、この保護部材１３の前方側への移動に伴ってコンタクト端子が露出するように構成されている。
【００１９】
ここで、本実施の形態に係るアダプタ１の内部の構成について説明する。図３及び図４は、それぞれ図１及び図２に示すケース１１から上面カバー１１ｂ及び下面カバー１１ｃを取り除いた状態について示している。図５は、図４に示す状態のアダプタ１の下面図である。なお、図３においては、説明の便宜上、保護部材１３がアダプタ１の前方側に移動した状態について示している。
【００２０】
図３に示すように、保護部材１３の下方には、複数のコンタクト端子１４がアダプタ１の左右方向に並べて配置されている。これらのコンタクト端子１４は、フレーム１１ａの一部に片持ち梁状に保持され、その後方側端部が一定範囲で上下方向に揺動可能に構成されている。また、これらのコンタクト端子１４の周囲には、フレーム１１ａの一部で構成され、アダプタ１の後方側に延出する保護板部１５が配設されている。この保護板部１５は、異なるカードの誤挿入に伴うコンタクト端子１４の破損を防止するためのものである。図４及び図５に示すように、それぞれのコンタクト端子１４の前端部には、リード線１６が接続されており、アダプタ１の前端部に導出される不図示のコンタクト端子と接続されている。
【００２１】
フレーム１１ａにおける保護部材１３の前方側には、図４及び図５に示すように、付勢手段としての一対のコイルばね１７ａ、１７ｂが配設されている。コイルばね１７ａ、１７ｂの後方側の一端は、フレーム１１ａに形成された一対の保持壁１８ａ、１８ｂにより保持されている。一方、コイルばね１７ａ、１７ｂの後方側の一端は、保護部材１３の前面部に当接している。保護部材１３は、これらのコイルばね１７ａ、１７ｂによる付勢力に応じてアダプタ１の後方側に付勢されている。
【００２２】
また、図４及び図５に示すように、フレーム１１ａにおける保護部材１３の側方側には、保持手段としての一対の板ばね１９ａ、１９ｂが配設されている（図４において、板ばね１９ａは不図示）。これらの一対の板ばね１９ａ、１９ｂは、アダプタ１の前後方向に一定長さ延在し、その後方側端部がフレーム１１ａに固定される一方、その前方側部分が外側に揺動可能に構成されている。この一対の板ばね１９ａ、１９ｂは、コイルばね１７ａ、１７ｂの付勢力に抗して保護部材１３を所定位置に保持する保持手段としての役割を果たすものである。
【００２３】
ここで、これらの板ばね１９ａ、１９ｂと、保護部材１３との関係について説明する。図６は、本実施の形態に係るアダプタ１が有する保護部材１３と、板ばね１９ａ、１９ｂとの関係を説明するための図である。図６においては、アダプタ１の下面側から見た場合の保護部材１３及び板ばね１９ａ、１９ｂを示している。また、図６においては、カード２が装着されていない状態の保護部材１３及び板ばね１９ａ、１９ｂを示している。なお、図６においては、説明の便宜上、コイルばね１７ａ、１７ｂも示している。
【００２４】
図６に示すように、保護部材１３の側面には、左右に一対の凹部１３ｂ、１３ｃが形成されている。これらの凹部１３ｂ、１３ｃは、後述する板ばね１９ａ、１９ｂの係合部１９ｃ、１９ｄと係合する第１係合部として機能するものである。また、保護部材１３の側面近傍であって、その前方側端部には、僅かに後方側に突出する突出片１３ｄ、１３ｅが設けられている。これらの突出片１３ｄ、１３ｅは、後述する板ばね１９ａ、１９ｂの係合部１９ｃ、１９ｄと係合する第２係合部として機能するものである。
【００２５】
板ばね１９ａ、１９ｂは、図６に示すように、その前方側端部に一対の係合部１９ｃ、１９ｄが設けられている。これらの係合部１９ｃ、１９ｄは、板ばね１９ａ、１９ｂの前方側端部をアダプタ１の内側に折り曲げることで形成されている。これらの係合部１９ｃ、１９ｄは、詳細について後述するように、アダプタ１にカード２が装着されていない状態において、保護部材１３の凹部１３ｂ、１３ｃと係合する一方、カード２が所定位置に装着された状態において、保護部材１３の突出片１３ｄ、１３ｅと係合するように構成されている。
【００２６】
また、板ばね１９ａ、１９ｂは、その中央部分よりも僅かに後方側の位置に一対の当接部１９ｅ、１９ｆが設けられている。これらの当接部１９ｅ、１９ｆは、板ばね１９ａ、１９ｂの中央部分よりも僅かに後方側部分をアダプタ１の内側に突出させることで形成されている。これらの当接部１９ｅ、１９ｆは、アダプタ１に挿入されるカード２と当接し、板ばね１９ａ、１９ｂの前方側部分を外側に移動させるものである。また、これらの当接部１９ｅ、１９ｆは、カード２が所定位置に装着された状態において、後述するカード２の凹部２２ａ、２２ｂと係合することでカード２のアダプタ２からの飛び出しを防止するものである。
【００２７】
ここで、本実施の形態に係るアダプタ１に装着されるカード２の構成について説明する。図７及び図８は、アダプタ１に装着されるカード２の構成を説明するための図である。図７（ａ）、（ｂ）及び（ｃ）は、それぞれカード２の上面図、側面図及び下面図である。図８（ａ）は、カード２を挿入方向から示した図であり、同図（ｂ）は、カード２を下面側から示した斜視図である。
【００２８】
図７（ａ）、（ｂ）に示すように、カード２の側方側の端部上面には、段差部２１が設けられている。この段差部２１には、左右に一対の凹部２２ａ、２２ｂが形成されている。これらの凹部２２ａ、２２ｂには、板ばね１９ａ、１９ｂの当接部１９ｅ、１９ｆが係合し、アダプタ１からのカード２の飛び出し防止に利用される。一方、図７（ｂ）、（ｃ）に示すように、カード２の側方側の端部下面には、段差部２３が設けられている。また、カード２の後端部には、カード２をアダプタ１から抜き取る際に利用される摘み部２４が設けられている。
【００２９】
また、カード２の下面には、前方側及び下方側に開口した凹部が形成されている。この凹部には、図７（ｃ）に示すように、導電性を有する金属材料を折り曲げ加工して形成されるカバー２５が嵌め込まれる（図８（ａ）、（ｂ）参照）。このカバー２５の表面（下面）は、カード２の下面の一部を構成し、後述する接触パッド２７に対するユーザ等の接触等を防止すると共に、この接触パッド２７における電磁シールドとしての役割を果たすものである。
【００３０】
さらに、カード２の前端部には、図８（ａ）、（ｂ）に示すように、溝部２６が形成されている。この溝部２６は、上述したカード２の凹部に対しカバー２５を嵌め込むことで形成される。この溝部２６には、カード２がアダプタ１に装着された場合にコンタクト端子１４及び保護板部１５が収容される。溝部２６の内側の上面には、図８（ｂ）に示すように、コンタクト端子１４と接触し、信号を送受信するための複数の接触パッド２７が設けられている。
【００３１】
このような構成を有するカード２がアダプタ１に対して装着されると、コンタクト端子１４及び保護板部１５が、カード２の溝部２６に収容され、コンタクト端子１４の一部が接触パッド２７に接触するものとなっている。この場合において、コンタクト端子１４は、信号通信用の端子を構成することから、アダプタ１が装着されたＰＣ等において、カード２との間で信号を送受信することが可能となる。
【００３２】
次に、本実施の形態に係るアダプタ１に対してカード２を装着する際の動作について説明する。図９〜図１４は、本実施の形態に係るアダプタ１に対してカード２を装着する際の動作を説明するための図である。図９、図１１及び図１３においては、カード２が装着される際のアダプタ１の下面図を示している。図１０、図１２及び図１４においては、カード２が装着される際の保護部材１３及び板ばね１９ａ、１９ｂの状態について示している。なお、図９、図１１及び図１３においては、図５と同様に、ケース１１から下面カバー１１ｃを取り除いた状態について示している。
【００３３】
なお、カード２が装着される前の状態のアダプタ１においては、図５及び図６に示すように、板ばね１９ａ、１９ｂの係合部１９ｃ、１９ｄが保護部材１３の凹部１３ｂ、１３ｃに係合し、コイルばね１７ａ、１７ｂの付勢力に抗してコンタクト端子１４を下方に収容する位置に保護部材１３を保持している。この場合、板ばね１９ａ、１９ｂの当接部１９ｅ、１９ｆは、アダプタ１のスロット部１２の内側に設けられるカード挿入経路上に突出した状態で配置されている。
【００３４】
図９においては、アダプタ１のスロット部１２に対してカード２が挿入されるが、カード２の前方側端部が保護部材１３に当接していない状態について示している。スロット部１２に対してカード２が挿入されると、その過程でカード２の側面が板ばね１９ａ、１９ｂの当接部１９ｅ、１９ｆに当接する。そして、カード２の挿入に伴い、板ばね１９ａ、１９ｂは、その前方側部分が側方側に押し広げられる。
【００３５】
この場合において、板ばね１９ａ、１９ｂの係合部１９ｃ、１９ｄは、図１０に示すように、凹部１３ｂ、１３ｃの外側に移動し、凹部１３ｂ、１３ｃとの係合が解除された状態となっている。また、板ばね１９ａ、１９ｂの当接部１９ｅ、１９ｆは、図１０に示すように、カード２の側面における凹部２２ａ、２２ｂよりも前方側の部分に接触し、その部分を軽く押圧した状態となっている。なお、板ばね１９ａ、１９ｂの係合部１９ｃ、１９ｄによる係合が解除された保護部材１３は、一時的にフレーム１１ａに設けられた不図示の規制部によりその後方側への移動が規制される。
【００３６】
図１１においては、アダプタ１のスロット部１２に挿入されたカード２の前方側端部が保護部材１３に当接し、僅かに前方側に押し込まれた状態について示している。図９に示す状態からカード２が前方側に押し込まれると、その前方側端部が保護部材１３の後面部に当接する。そして、更にカード２が押し込まれると、保護部材１３がコイルばね１７ａ、１７ｂの付勢力に抗してアダプタ１の前方側に押し込まれる。
【００３７】
この場合において、カード２は、図１２に示すように、板ばね１９ａ、１９ｂの当接部１９ｅ、１９ｆにより軽く押圧された状態で前方側に移動する。この場合、板ばね１９ａ、１９ｂの係合部１９ｃ、１９ｄは、保護部材１３の凹部１３ｂ、１３ｃよりも後方側の位置に配置され、板ばね１９ａ、１９ｂの当接部１９ｅ、１９ｆは、カード２の側面における凹部２２ａ、２２ｂ近傍の部分を押圧した状態となっている。
【００３８】
図１３においては、アダプタ１の所定位置にカード２が装着された状態について示している。図１１に示す状態からカード２が更に前方側に押し込まれると、カード２の前方側端部によりコイルばね１７ａ、１７ｂの付勢力に抗して保護部材１３がアダプタ１の前方側に押し込まれる。そして、アダプタ１の所定位置にカード２が装着されると、コンタクト端子１４（図１３に不図示）及び保護板部１５がカード２の溝部２６に収容され、コンタクト端子１４と接触パッド２７とが接触した状態となる。
【００３９】
この場合において、図１４に示すように、カード２の移動に伴って板ばね１９ａ、１９ｂの当接部１９ｅ、１９ｆがカード２の凹部２２ａ、２２ｂの位置まで移動すると、板ばね１９ａ、１９ｂの前方側部分がアダプタ１の内側に移動する。これにより、当接部１９ｅ、１９ｆが凹部２２ａ、２２ｂに収容され、これらの前方側の端面と係合した状態となる。これにより、アダプタ１の後方側へのカード２の移動が規制され、カード２がアダプタ１から飛び出すことが防止される。
【００４０】
一方、板ばね１９ａ、１９ｂの係合部１９ｃ、１９ｄは、保護部材１３の突出片１３ｄ、１３ｅの後方側部分に入り込み、これらと係合した状態となる。これにより、保護部材１３の後方側の移動が板ばね１９ａ、１９ｂの係合部１９ｃ、１９ｄにより規制されることから、保護部材１３を介してコイルばね１７ａ、１７ｂの付勢力がカード２に加わることはない。このため、カード２とコンタクト端子１４との安定した接続状態が確保されることとなる。
【００４１】
なお、本実施の形態に係るアダプタ１においては、図１３に示す所定位置にカード２が装着される際、カード２が所定位置よりもアダプタ１の前方側に押し込まれた後、コイルばね１７ａ、１７ｂの付勢力により僅かにアダプタ１の後方側に押し戻された状態で停止する。この一連の動作の際、片持ち梁状のコンタクト端子１４は、カード２の接触パッド２７に摺接した状態となっている。このため、仮に接触パッド２７に埃等が付着している場合においても、コンタクト端子１４がその埃等を除去した上で接触パッド２７に接触した状態とされることから、よりこれらの間の接続安定性を向上することが可能となる。
【００４２】
このように本実施の形態に係るアダプタ１によれば、カード２を所定の装着位置まで挿入する際、カード２と当接部１９ｅ、１９ｆとの当接により保護部材１３の凹部１３ｂ、１３ｃと係合部１９ｃ、１９ｄとの係合を解除し、コイルばね１７ａ、１７ｂの付勢力に抗して保護部材１３をカード２の挿入方向側に移動させ、カード２の凹部２２ａ、２２ｂに当接部１９ｅ、１９ｆを係合させると共に、係合部１９ｃ、１９ｄを保護部材１３の突出片１３ｄ、１３ｅと係合させることから、コイルばね１７ａ、１７ｂの付勢力がカード２に加わるのを防止できるので、カード２とコンタクト端子１４との安定した接続状態を確保することが可能となる。
【００４３】
特に、本実施の形態に係るアダプタ１においては、カード２の側面に左右一対の凹部２２ａ、２２ｂが形成され、当該カード２の側面に対応して左右一対の板ばね１９ａ，１９ｂを備えている。これにより、左右一対に設けられた板ばね１９ａ、１９ｂの係合部１９ｃ、１９ｄで保護部材１３を所定の装着位置に保持することができるので、コイルばね１７ａ、１７ｂからの付勢力をバランスよく受け、この付勢力がカード２に加わるのを適切に防止することが可能となる。
【００４４】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４５】
例えば、上記実施の形態においては、カード２がアダプタ１の所定の装着位置に装着される場合に板ばね１９ａ、１９ｂの係合部１９ｃ、１９ｄを保護部材１３の突出片１３ｄ、１３ｅと係合させると共に、当接部１９ｅ、１９ｆをカード２の凹部２２ａ、２２ｂと係合させる場合について示している。しかしながら、カード２の排出方向への移動を規制することができれば、板ばね１９ａ、１９ｂの係合部１９ｃ、１９ｄと保護部材１３の突出片１３ｄ、１３ｅとの係合を省略しても良い。このように変更した場合においても、当接部１９ｅ、１９ｆとカード２の凹部２２ａ、２２ｂとの係合により、コイルばね１７ａ、１７ｂによる付勢力に抗してカード２の排出方向側への移動を規制できるので、カード２とコンタクト端子１４との安定した接続状態を確保することが可能となる。しかしながら、板ばね１９ａ、１９ｂの当接部１９ｅ、１９ｆに加わる負荷を考慮する場合には、上記実施の形態のように板ばね１９ａ、１９ｂの係合部１９ｃ、１９ｄと保護部材１３の突出片１３ｄ、１３ｅとを係合させることが好ましい。
【図面の簡単な説明】
【００４６】
【図１】本発明の一実施の形態に係るカード用アダプタの外観を示す斜視図である。
【図２】上記実施の形態に係るカード用アダプタの外観を示す斜視図である。
【図３】図１に示すケースから上面カバーを取り除いた状態のカード用アダプタを示す斜視図である。
【図４】図１に示すケースから下面カバーを取り除いた状態のカード用アダプタを示す斜視図である。
【図５】図４に示す状態のカード用アダプタの下面図である。
【図６】上記実施の形態に係るカード用アダプタが有する保護部材と、板ばねとの関係を説明するための図である。
【図７】上記実施の形態に係るカード用アダプタに装着されるカードの構成を説明するための図である。
【図８】上記実施の形態に係るカード用アダプタに装着されるカードの構成を説明するための図である。
【図９】上記実施の形態に係るカード用アダプタに対してカードを装着する際の動作を説明するための図である。
【図１０】上記実施の形態に係るカード用アダプタに対してカードを装着する際の動作を説明するための要部拡大図である。
【図１１】上記実施の形態に係るカード用アダプタに対してカードを装着する際の動作を説明するための図である。
【図１２】上記実施の形態に係るカード用アダプタに対してカードを装着する際の動作を説明するための要部拡大図である。
【図１３】上記実施の形態に係るカード用アダプタに対してカードを装着する際の動作を説明するための図である。
【図１４】上記実施の形態に係るカード用アダプタに対してカードを装着する際の動作を説明するための要部拡大図である。
【符号の説明】
【００４７】
１  カード用アダプタ（アダプタ）
１１  ケース
１１ａ  フレーム
１１ｂ  上面カバー
１１ｃ  下面カバー
１２  スロット部
１３  保護部材
１３ａ  凹部
１３ｂ、１３ｃ  凹部
１３ｄ、１３ｅ  突出片
１４  コンタクト端子
１５  保護板部
１６  リード線
１７ａ、１７ｂ  コイルばね
１８ａ、１８ｂ  保持壁
１９ａ、１９ｂ  板ばね
１９ｃ、１９ｄ  係合部
１９ｅ、１９ｆ  当接部
２  カード
２１  段差部
２２ａ、２２ｂ  凹部
２３  段差部
２４  摘み部
２５  カバー
２６  溝部
２７  接触パッド
【図１】
0004481337.tif 000002
【図２】
0004481337.tif 000003
【図３】
0004481337.tif 000004
【図４】
0004481337.tif 000005
【図５】
0004481337.tif 000006
【図６】
0004481337.tif 000007
【図７】
0004481337.tif 000008
【図８】
0004481337.tif 000009
【図９】
0004481337.tif 000010
【図１０】
0004481337.tif 000011
【図１１】
0004481337.tif 000012
【図１２】
0004481337.tif 000013
【図１３】
0004481337.tif 000014
【図１４】
0004481337.tif 000015